(57)【要約】【課題】アンバランスを有する光ディスクの高速回転時における光ヘッドの軸受部とガイド主軸との繰り返し衝突を防止しすることにより、光ヘッドの高周波振動を抑制する。【解決手段】光ヘッド送り装置は、光ヘッド１と、光ヘッド１を光ディスクの半径方向に案内するガイド主軸３およびガイド副軸４と、光ヘッド１に設けられた噛合部２５ａ，２５ｂと、噛合部２５ａ，２５ｂと噛み合って光ヘッド１を移動させるリードスクリュー５と、リードスクリュー５を回転させるフィードモータ６とを備える。光ヘッド１は、ガイド主軸３に摺動可能に係合する軸受部１ａ，１ｂを有している。光ヘッド送り装置は、さらに、光ヘッド１の第１の軸受部１ａを、ガイド主軸３に対して、光ディスクの面に平行で且つガイド主軸３の軸方向に直交する方向に押し当てる押圧部材（押圧手段）２６を備える。【選択図】図１
2015084265.tif 000002
【特許請求の範囲】
【請求項１】
光ヘッドと、
前記光ヘッドを光ディスクの半径方向に案内するガイド主軸およびガイド副軸と、
前記光ヘッドに設けられた噛合部と、
前記噛合部と噛み合い、前記光ヘッドを移動させるリードスクリューと、
前記リードスクリューを回転させるフィードモータと
を備え、
前記光ヘッドは、前記ガイド主軸に摺動可能に係合する軸受部を有し、
前記光ヘッドの前記軸受部を、前記ガイド主軸に対して、前記光ディスクの面に平行で且つ前記ガイド主軸の軸方向に直交する方向に押し当てる押圧手段をさらに備えたこと
を特徴とする光ヘッド送り装置。
【請求項２】
前記軸受部は、前記ガイド主軸の軸方向に並んで配置された第１の軸受部および第２の軸受部であり、
前記押圧手段は、
前記第１の軸受部を、前記ガイド主軸に対して、前記光ディスクの面に平行で且つ前記ガイド主軸の軸方向に直交する方向に押し当てる第１の押圧部材と、
前記第２の軸受部を、前記ガイド主軸に対して、前記光ディスクの面に平行で且つ前記ガイド主軸の軸方向に直交する方向に押し当てる第２の押圧部材と
を有することを特徴する請求項１に記載の光ヘッド送り装置。
【請求項３】
前記第１の押圧部材は、前記光ヘッドと一体に設けられた弾性変形可能な部材であり、前記ガイド主軸を付勢し、その反力で前記第１の軸受部を前記ガイド主軸に押し当てることを特徴とする請求項２に記載の光ヘッド送り装置。
【請求項４】
前記第１の押圧部材は、前記ガイド主軸と平行な方向に延在し、
前記第１の押圧部材の先端が前記ガイド主軸を付勢するよう構成されていることを特徴とする請求項２または３に記載の光ヘッド送り装置。
【請求項５】
前記第１の押圧部材は、前記先端に近づくほど厚さが減少する形状を有していることを特徴とする請求項４に記載の光ヘッド送り装置。
【請求項６】
前記噛合部は、前記第２の軸受部と前記リードスクリューとの間に配置され、
前記第２の押圧部材は、前記噛合部と前記第２の軸受部との間に配置され、前記噛合部を前記リードスクリューに押し当てると共に、前記第２の軸受部を前記ガイド主軸に押し当てることを特徴する請求項２から５までの何れか１項に記載の光ヘッド送り装置。
【請求項７】
前記光ヘッドに取り付けられ、前記噛合部を備えた移動体を備え、
前記第１の押圧部材および前記第２の押圧部材は、前記移動体に設けられていることを特徴する請求項２から６までの何れか１項に記載の光ヘッド送り装置。
【請求項８】
前記光ヘッドは、筐体を有し、
前記ガイド主軸は、前記光ヘッドの前記筐体と前記リードスクリューとの間に配置され、
前記第１の軸受部および前記第２の軸受部は、前記光ヘッドの前記筐体の前記リードスクリュー側に取り付けられ、
前記移動体は、前記光ヘッドの前記筐体に取り付けられる取付部と、前記第２の軸受部に対向する壁部とを有すること
を特徴する請求項７に記載の光ヘッド送り装置。
【請求項９】
前記第１の押圧部材は、前記移動体の前記壁部から前記ガイド主軸と平行な方向に延在していることを特徴とする請求項８に記載の光ヘッド送り装置。
【請求項１０】
前記噛合部は、前記移動体の前記壁部に、弾性変形可能なヒンジ部を介して支持されていることを特徴する請求項８または９に記載の光ヘッド送り装置。
【請求項１１】
前記第２の押圧部材は、前記移動体の前記壁部と前記噛合部との間に設けられていることを特徴とする請求項８から１０までの何れか１項に記載の光ヘッド送り装置。
【請求項１２】
前記第１の押圧部材が前記第１の軸受部を前記ガイド主軸に押し当てる方向と、前記第２の押圧部材が前記第２の軸受部を前記ガイド主軸に押し当てる方向とが、互いに反対方向であることを特徴とする請求項２から１１までの何れか１項に記載の光ヘッド送り装置。
【請求項１３】
前記第１の軸受部は、前記第２の軸受部よりも、前記光ディスクの内周側に位置していることを特徴とする請求項２から１２までの何れか１項に記載の光ヘッド送り装置。
【請求項１４】
請求項１から１３までの何れか１項に記載の光ヘッド送り装置と、
光ディスクを保持して回転させるターンテーブルと、
前記ターンテーブルを回転させるスピンドルモータと、
前記光ヘッド送り装置および前記ターンテーブルを支持するトラバースシャーシと、
前記トラバースシャーシを支持するメインシャーシと
を備えたことを特徴とする光ディスク装置。
【請求項１５】
前記トラバースシャーシは、矩形形状を有し、その４隅に配置された４つのダンパを有していることを特徴とする請求項１４に記載の光ディスク装置。
【請求項１６】
前記トラバースシャーシを前記メインシャーシに対して揺動させるための揺動部材をさらに有し、
前記４つのダンパのうち、２つのダンパは前記メインシャーシに支持され、２つのダンパは前記揺動部材に支持されていること
を特徴とする請求項１５に記載の光ディスク装置。
【発明の詳細な説明】
【技術分野】
【０００１】
本発明は、光ヘッド送り装置および光ディスク装置に関する。
【背景技術】
【０００２】
一般に、ＤＶＤ（Ｄｉｇｉｔａｌ  Ｖｅｒｓａｔｉｌｅ  Ｄｉｓｃ）装置やＢＤ（Ｂｌｕ−Ｒａｙ  Ｄｉｓｃ）装置などの光ディスク装置では、回転する光ディスクの半径方向に光ヘッドを移動させて、情報の記録または再生を行う。
【０００３】
光ヘッド送り装置は、光ヘッドを光ディスクの半径方向に案内するガイド主軸およびガイド副軸と、光ヘッドを駆動するためのリードスクリューと、リードスクリューを回転させるフィードモータとを有している。光ヘッドには、リードスクリューと噛み合うティース（噛合部）が設けられ、当該ティースはコイルスプリングによってリードスクリューに押し当てられている。また、光ヘッドには、ガイド主軸に係合する２つの軸受部と、ガイド副軸に係合する１つの軸受部とが設けられている（例えば、特許文献１参照）。
【０００４】
光ヘッド送り装置の各構成要素は、トラバースシャーシによって支持されている。ターンテーブルは、トラバースシャーシの一端部の近傍に設けられている。トラバースシャーシは、光ディスクの挿入または排出の際、ターンテーブル側の端部を低くするように傾斜する。また、トラバースシャーシは、その４隅に設けられたダンパ（振動減衰部材）を介して支持されている。
【０００５】
トラバースシャーシに支持される構成要素のうち、最も下方に突出するのはフィードモータおよびリードスクリューである。トラバースシャーシは、ターンテーブル側の端部を低くするように傾斜するため、光ディスク装置の薄型化のために、フィードモータおよびリードスクリューは、できるだけターンテーブルから離れた位置（すなわち光ディスクの外周寄り）に配置される。また、リードスクリューの配置に基づいて、リードスクリューに噛み合う光ヘッドのティースの配置も決定される。
【０００６】
一方、ガイド主軸に係合する光ヘッドの各軸受部は、光ディスク装置の奥行寸法（ガイド主軸の軸方向の寸法）を短くするために、できるだけターンテーブルに近い位置（すなわち光ディスクの内周寄り）に配置される。
【０００７】
その結果、光ヘッドのティース（噛合部）は、例えば特許文献１の図２Ａに示されているように、ガイド主軸に係合する２つの軸受部のうち、光ディスクの外周側の軸受部の近傍に配置されることになる。
【先行技術文献】
【特許文献】
【０００８】
【特許文献１】特開２０１２−１６４３９７号公報（図２Ａ参照）
【発明の概要】
【発明が解決しようとする課題】
【０００９】
従来の光ヘッド送り装置は、上述したダンパにより弾性支持されているため、アンバランスを有する光ディスク（重心と回転中心とが一致していない光ディスク）を回転させると、光ヘッド送り装置の全体が振動する。また、光ディスク装置の薄型化に伴い、ダンパがトラバースシャーシを支持する高さと、振動発生源である光ディスクの中心の高さとが近くなっている。そのため、アンバランスを有する光ディスクを回転させると、光ヘッド送り装置は、光ディスクと平行な面内で２次元的に振動する。
【００１０】
一方、ガイド主軸と光ヘッドの２つの軸受部との間には、それぞれクリアランスが存在する。光ディスクの外周側の軸受部は（ティースが近傍に配置されているため）移動しにくいが、光ディスクの内周側の軸受部は、移動の規制が少ない。そのため、光ディスクの外周側の軸受部を支点として、光ディスクの内周側の軸受部が揺動し、ガイド主軸との衝突を繰り返す。この繰り返し衝突によって高周波成分の振動が発生し、光ヘッド送り装置全体の振動に重畳されるため、光ヘッドの対物レンズが光ディスクの偏心や面振れに追従できなくなる可能性がある。
【００１１】
また、光ヘッドの互換性の確保のため、光ヘッドの軸受部と対物レンズとの相対位置は標準化されている。光ヘッドを購入してＤＶＤ装置やＢＤ装置を製造する場合、標準化された軸受部の位置を変更することは、部品コストの上昇につながる。そのため、光ヘッドの軸受部の位置は、標準化された位置にあることが望ましい。すなわち、光ヘッドの軸受部の位置を変更せずに、上述した光ヘッドの高周波振動を抑制することが求められている。
【００１２】
この発明は、上記のような課題を解決するためになされたもので、アンバランスを有する光ディスクを回転させた際の、光ヘッドの軸受部とガイド主軸との繰り返し衝突を防止し、これにより光ヘッドの高周波振動を抑制することを目的とする。
【課題を解決するための手段】
【００１３】
この発明に係る光ヘッド送り装置は、光ヘッドと、光ヘッドを光ディスクの半径方向に案内するガイド主軸およびガイド副軸と、光ヘッドに設けられた噛合部と、噛合部と噛み合い、光ヘッドを移動させるリードスクリューと、リードスクリューを回転させるフィードモータとを備える。光ヘッドは、ガイド主軸に摺動可能に係合する軸受部を有する。光ヘッド送り装置は、さらに、光ヘッドの軸受部を、ガイド主軸に対して、光ディスクの面に平行で且つガイド主軸の軸方向に直交する方向に押し当てる押圧手段を備える。
【００１４】
この発明に係る光ディスク装置は、上記の光ヘッド送り装置と、光ディスクを保持して回転させるターンテーブルと、ターンテーブルを回転させるスピンドルモータと、光ヘッド送り装置、ターンテーブルおよびスポンドルモータを支持するトラバースシャーシと、トラバースシャーシを支持するメインシャーシとを備える。
【発明の効果】
【００１５】
この発明によれば、押圧手段が、光ヘッドの軸受部を、ガイド主軸に対して、光ディスクの面と平行でガイド主軸に直交する方向に付勢するため、アンバランスを有する光ディスクを回転させた際の光ヘッドの軸受部とガイド主軸との繰り返し衝突を防止することができる。これにより、光ヘッドの高周波振動を抑制することができる。すなわち、安定して記録または再生動作を行うことが可能になる。
【図面の簡単な説明】
【００１６】
【図１】この発明の実施の形態１における光ディスク装置の内部構成を示す斜視図である。
【図２】この発明の実施の形態１における光ヘッド送り装置を含むトラバースユニットを示す斜視図である。
【図３】この発明の実施の形態１における光ヘッド送り装置を含むトラバースユニットを示す分解斜視図である。
【図４】この発明の実施の形態１における光ヘッド送り装置を含むトラバースユニットを示す平面図である。
【図５】この発明の実施の形態１における光ヘッド送り装置を含むトラバースユニットにダンパを取り付けた状態を示す斜視図である。
【図６】この発明の実施の形態１における光ディスク装置の昇降アームを示す斜視図である。
【図７】この発明の実施の形態１における光ディスク装置のスライドレバーを示す斜視図である。
【図８】この発明の実施の形態１における光ディスク装置において、トラバースシャーシが傾斜位置まで揺動した状態を示す斜視図である。
【図９】この発明の実施の形態１における光ディスク装置のトラバースシャーシが傾斜した状態を示す側面図である。
【図１０】この発明の実施の形態１における光ヘッド送り装置の移動体を示す斜視図である。
【図１１】この発明の実施の形態１における光ヘッド送り装置の移動体を下方から見た斜視図である。
【図１２】この発明の実施の形態１における光ヘッド送り装置の移動体を示す平面図（Ａ）および正面図（Ｂ）である。
【図１３】この発明の実施の形態１における光ヘッドの各軸受部および押圧部と、ガイド主軸との関係を模式的に示す断面図である。
【図１４】光ヘッドの第１の軸受部とガイド主軸との間に生じる繰り返し衝突を説明するための模式図である。
【図１５】光ヘッドの第１の軸受部とガイド主軸との間に生じる繰り返し衝突を説明するための模式図である。
【図１６】光ヘッドの第１の軸受部とガイド主軸との間に生じる繰り返し衝突を説明するための模式図である。
【図１７】比較例の光ヘッドのＸ方向（Ａ）、Ｙ方向（Ｂ）、およびＺ方向（Ｃ）の振動波形を示す図である。
【図１８】この発明の実施の形態１における光ヘッドのＸ方向（Ａ）、Ｙ方向（Ｂ）、およびＺ方向（Ｃ）の振動波形を示す図である。
【発明を実施するための形態】
【００１７】
以下、この発明の実施の形態について、図面を参照して説明する。
【００１８】
実施の形態１．
＜光ディスク装置の全体構成＞
図１は、本発明の実施の形態１における光ヘッド送り装置５０が組み込まれた光ディスク装置の内部構成を示す斜視図である。図２は、光ヘッド送り装置５０を含むトラバースユニットを示す斜視図である。図３は、光ヘッド送り装置５０を含むトラバースユニットを示す分解斜視図である。図４は、光ヘッド送り装置５０を含むトラバースユニットを示す平面図である。図１〜図４は、いずれも上方（光ディスク側）から見た図である。
【００１９】
なお、図１〜図４および後述する全ての図において、光ヘッド１からレーザ光が照射される方向、すなわちフォーカス方向をＺ方向とする。また、Ｚ方向に直交する面（ＸＹ面）において、光ヘッド１の移動方向、すなわちトラッキング方向をＹ方向とする。また、Ｙ方向とＺ方向に直交する方向、すなわちタンジェンシャル方向をＸ方向とする。
【００２０】
Ｚ方向については、光ヘッド１から光ディスクに向かう方向を＋Ｚ方向とし、その反対方向を−Ｚ方向とする。＋Ｘ方向、−Ｘ方向、＋Ｙ方向および−Ｙ方向については、＋Ｚ方向および−Ｚ方向を基準として、右手系の直交座標系に従って定義する。
【００２１】
図１に示す光ディスク装置は、ＢＤ，ＤＶＤ等の光ディスクに情報を記録し、または光ディスクに記録された情報を再生するものである。光ディスク装置は、基体をなすメインシャーシ１０と、メインシャーシ１０に揺動可能に取り付けられたトラバースシャーシ１２とを有している。トラバースシャーシ１２と、これに搭載される構成要素（光ヘッド送り装置５０を含む）をまとめて、トラバースユニットと称する。
【００２２】
＜トラバースユニット＞
図２および図３に示すように、トラバースシャーシ１２は、ベース部１２ｆを有している。ベース部１２ｆは、略長方形の平板状であり、その４隅にダンパ（後述）を取り付けるための穴部１２ａ，１２ｂ，１２ｃ，１２ｄを有している。また、ベース部１２ｆの中央部には、光ヘッド１の可動範囲に対応した略長方形の開口部１２ｅが形成されている。
【００２３】
トラバースシャーシ１２の開口部１２ｅのＸ方向両側には、Ｙ方向に延在するガイド主軸３およびガイド副軸４が配設されている。ガイド主軸３およびガイド副軸４は、光ヘッド１を光ディスクの半径方向に案内するものである。
【００２４】
図３に示すように、ガイド主軸３の前端部（−Ｙ方向の端部）および後端部（＋Ｙ方向の端部）には、ねじりコイルばね８ａ，８ｂがそれぞれ巻き付けられている。また、ガイド副軸４の前端部および後端部には、ねじりコイルばね９ａ，９ｂがそれぞれ巻き付けられている。
【００２５】
トラバースシャーシ１２の前端部には、ガイド主軸３の前端部を保持する保持部１２ｈが形成されている。保持部１２ｈは、例えば、ベース部１２ｆの一部を切り起して形成したものである。保持部１２には、ガイド主軸３の前端部を収容する凹部が形成されている。また、保持部１２ｈには、ガイド主軸３に巻き付けられたねじりコイルばね８ａの腕部（ストレート形状の部分）に上方（＋Ｚ側）から当接する当接片１２ｉが形成されている。
【００２６】
ガイド主軸３の前端部は、ねじりコイルばね８ａの腕部と当接片１２ｉとの当接によって−Ｚ方向に付勢され、保持部１２ｈの凹部の底に押し当てられる。ガイド主軸３の前端部のＸ方向の位置は、保持部１２ｈの凹部の両側面によって規制される。
【００２７】
トラバースシャーシ１２の後端部（＋Ｙ方向の端部）には、ガイド主軸３の後端部に−Ｘ側と＋Ｘ側からそれぞれ当接する当接片１２ｊ，１２ｋが形成されている。当接片１２ｊ，１２ｋは、例えば、ベース部１２ｆのそれぞれ一部を切り起して形成したものである。当接片１２ｊには、ガイド主軸３に巻き付けられたねじりコイルばね８ｂの腕部に上方から当接する当接片１２ｌが形成されている。
【００２８】
ベース部１２ｆにおける当接片１２ｊ，１２ｋの近傍には、ねじ穴１２ｓが形成されている。このねじ穴１２ｓには、調整ねじ３２が下方（−Ｚ側）からねじ込まれ、調整ねじ３２の端面がガイド主軸３に当接する。ガイド主軸３の後端部は、ねじりコイルばね８ｂの腕部と当接片１２ｌとの当接によって−Ｚ方向に付勢されて、調整ねじ３２の端面に押圧される。ガイド主軸３の後端部のＸ方向の位置は、当接片１２ｊ，１２ｋによって規制される。
【００２９】
トラバースシャーシ１２の前端部（−Ｙ方向の端部）には、ガイド副軸４の前端部に−Ｘ側と＋Ｘ側からそれぞれ当接する当接片１２ｍ，１２ｎが形成されている。当接片１２ｍ，１２ｎは、例えば、ベース部１２ｆのそれぞれ一部を切り起して形成したものである。当接片１２ｍには、ガイド副軸４に巻き付けられたねじりコイルばね９ａの腕部に上方から当接する当接片１２ｏが形成されている。
【００３０】
ベース部１２ｆにおける当接片１２ｍ，１２ｎの近傍には、ねじ穴１２ｔが形成されている。このねじ穴１２ｔには、調整ねじ３３が下方からねじ込まれ、調整ねじ３３の端面がガイド副軸４に当接する。ガイド副軸４の前端部は、ねじりコイルばね９ａの腕部と当接片１２ｏとの当接によって−Ｚ方向に付勢されて、調整ねじ３３の端面に押圧される。ガイド副軸４の前端部のＸ方向の位置は、当接片１２ｍ，１２ｎによって規制される。
【００３１】
トラバースシャーシ１２の後端部（＋Ｙ方向の端部）には、ガイド副軸４の後端部に−Ｘ側と＋Ｘ側からそれぞれ当接する当接片１２ｐ，１２ｑが形成されている。当接片１２ｐ，１２ｑは、例えば、ベース部１２ｆのそれぞれ一部を切り起して形成したものである。当接片１２ｐには、ガイド副軸４に巻き付けられたねじりコイルばね９ｂの腕部に上方から当接する当接片１２ｒが形成されている。
【００３２】
ベース部１２ｆにおける当接片１２ｐ，１２ｑの近傍には、ねじ穴１２ｕが形成されている。このねじ穴１２ｕには、調整ねじ３４が下方からねじ込まれ、調整ねじ３４の端面がガイド副軸４に当接する。ガイド副軸４の後端部は、ねじりコイルばね９ｂの腕部と当接片１２ｒとの当接により−Ｚ方向に付勢されて、調整ねじ３３の端面に押圧される。ガイド副軸４の後端部のＸ方向の位置は、当接片１２ｐ，１２ｑによって規制される。
【００３３】
ガイド主軸３およびガイド副軸４は、以上のようにしてトラバースシャーシ１２に取り付けられている。また、調整ねじ３２，３３，３４の調整によって、光ヘッド１の対物レンズ５１，５２の光軸の傾き、およびガイド主軸３とガイド副軸４との平行度が調整される。
【００３４】
光ヘッド１は、例えばプラスチック形成された筐体１ｆを有している。光ヘッド１の筐体１ｆには、光ディスクに対向するように、２つの対物レンズ５１，５２がＹ方向に並んで取り付けられている。筐体１ｆの内部には、図示しないレーザ光源、受光素子、光学系（レンズ、プリズム、ミラー等）、対物レンズアクチュエータおよび制御基板が配設されている。
【００３５】
光ヘッド１は、ガイド主軸３に摺動可能に係合する軸受部１ａ，１ｂと、ガイド副軸４に摺動可能に係合する軸受部１ｃとを有している。ガイド主軸３と軸受部１ａ，１ｂとの係合、およびガイド副軸４と軸受部１ｃとの係合により、光ヘッド１はＹ方向、すなわち光ディスクの半径方向に移動可能に支持される。
【００３６】
軸受部１ａ，１ｂは、光ヘッド１の筐体１ｆの−Ｘ方向の側端部（すなわち、ガイド主軸３に対向する側端部）に取り付けられている。軸受部１ａ，１ｂはＹ方向に並んで配置されている。図４に示すように、軸受部１ａ，１ｂのうち、第１の軸受部１ａは−Ｙ側に配置され、第２の軸受部１ｂは＋Ｙ側に配置されている。言い換えると、第１の軸受部１ａは光ディスクの内周側に配置され、第２の軸受部１ｂは光ディスクの外周側に配置されている。
【００３７】
軸受部１ａ，１ｂは、光ディスク装置の奥行寸法を短縮するために、できるだけ−Ｙ側（光ヘッド１の内周側）に配置することが望ましい。本実施形態では、外周側の第２の軸受部１ｂのＹ方向の位置は、光ヘッド１の対物レンズ５１のＹ方向の位置とほぼ同じである。この軸受部１ａ，１ｂの配置は、光ディスク装置において標準化されたものである。
【００３８】
軸受部１ｃは、光ヘッド１の筐体１ｆの＋Ｘ方向の側端部（すなわち、ガイド副軸４に対向する側端部）に取り付けられている。軸受部１ｃは、ガイド副軸４に上方と下方（Ｚ方向における両側）からのみ当接するように構成されている。従って、後述するようにアンバランスを有する光ディスクを回転させた場合であっても、軸受部１ｃとガイド副軸４との繰り返し衝突は生じない。
【００３９】
トラバースシャーシ１２の前端部には、光ディスクを保持して回転させるターンテーブル１４が配設されている。ターンテーブル１４は、駆動源であるスピンドルモータ１５の回転軸に取り付けられている。スピンドルモータ１５は、ねじ３５，３６，３７によりトラバースシャーシ１２のベース部１２ｆに取り付けられている。
【００４０】
図５は、トラバースシャーシ１２の穴部１２ａ，１２ｂ，１２ｃ，１２ｄ（図２）に、ダンパ（振動減衰部材）４１，４２，４３，４４を取り付けた状態を示す。ダンパ４１，４２，４３，４４のうち、後方（＋Ｙ方向）の穴部１２ｃ，１２ｄに取り付けられるダンパ４３，４４は、メインシャーシ１０に設けられたダンパ支持部１１０，１１１（図１）に支持される。一方、前方（−Ｙ方向）の穴部１２ａ，１２ｂに取り付けられるダンパ４１，４２は、後述する昇降アーム１１のダンパ支持部１１６，１１７（図６）に支持される。
【００４１】
ダンパ４１，４２，４３，４４は、例えばゴム等の弾性体で形成されており、振動を減衰する作用を奏する。トラバースシャーシ１２をダンパ４１，４２，４３，４４により弾性支持することで、光ヘッド１への不要な振動伝達が抑制される。
【００４２】
なお、トラバースシャーシ１２には、光ヘッド１をＹ方向に移動させるためのリードスクリュー５およびフィードモータ６が取り付けられており、光ヘッド１には移動体２が取り付けられているが、これらについては後述する。
【００４３】
＜メインシャーシ＞
図１に戻り、メインシャーシ１０は、ベース１０５と、ベース１０５のＸ方向両端に設けられた側壁１０１，１０２と、ベース１０５のＹ方向両端に設けられた前方壁１０３および後方壁１０４とを有している。前方壁１０３には、光ディスクを挿入する挿入口１０３ａが形成されている。この挿入口１０３ａは、図示しないシャッタにより開閉される。
【００４４】
ベース１０５において、トラバースシャーシ１２が配置される領域には、凹部１０６が設けられている。ベース１０５には、昇降アーム１１の揺動軸１１４，１１５（後述）を受ける孔部（受け部）１０７，１０８が形成されている。
【００４５】
＜昇降アーム＞
図６は、トラバースシャーシ１２を揺動させるための昇降アーム１１を示す斜視図である。昇降アーム１１は、トラバースシャーシ１２の両側壁のそれぞれのＹ方向中央から前端部にかけて延在する揺動アーム部１１１，１１２と、アーム部１１１，１１２の前端同士を結ぶフロントアーム部１１３とを有している。
【００４６】
揺動アーム部１１１，１１２のそれぞれの後端部には、トラバースシャーシ１２の揺動軸を規定する揺動軸１１４，１１５がＸ方向に突出形成されている。揺動軸１１４，１１５は、メインシャーシ１０の孔部１０７，１０８（図１）に係合している。揺動軸１１４，１１５と孔部１０７，１０８との係合により、昇降アーム１１はＸ方向の揺動軸１１４，１１５を中心として揺動可能となる。
【００４７】
フロントアーム部１１３には、トラバースシャーシ１２の穴部１２ａ，１２ｂに取り付けられるダンパ４１，４２（図５）を支持するダンパ支持部１１６，１１７が設けられている。このダンパ支持部１１６，１１７は、ダンパ４１，４２に設けられた中心孔に係合する円筒部１１６ａ，１１７ａを有している。
【００４８】
ダンパ支持部１１６，１１７がダンパ４１，４２を支持することにより、昇降アーム１１はトラバースシャーシ１２を下方から支持する。これにより、トラバースシャーシ１２は、昇降アーム１１と共に、揺動軸１１４，１１５を中心として揺動可能となる。
【００４９】
フロントアーム部１１３には、次に説明するスライドレバー１３のカムに係合するカムフォロア１１８が設けられている。カムフォロア１１８は、フロントアーム部１１３の前面からさらに前方（−Ｙ方向）に突出している。
【００５０】
＜スライドレバー＞
図７は、スライドレバー１３を示す斜視図である。スライドレバー１３は、Ｘ方向に長い長尺状の部材である。スライドレバー１３の＋Ｙ方向を向く面（背面）には、カム溝１３１が形成されている。このカム溝１３１は、上述した昇降アーム１１のカムフォロア１１８に係合するものである。
【００５１】
カム溝１３１は、トラバースシャーシ１２が上昇位置（水平位置）にあるときにカムフォロア１１８に係合する第１の部分１３１ａと、トラバースシャーシ１２が下降位置（傾斜位置）にあるときにカムフォロア１１８に係合する第２の部分１３１ｂと、これらを結ぶ第３の部分１３１ｃとを有している。
【００５２】
また、スライドレバー１３は、メインシャーシ１０に設けられたガイド１０９（図１）に摺動可能に係合するレール部１３２を有している。図１に示すように、ガイド１０９は、トラバースシャーシ１２の前面にほぼ対向する位置に形成され、Ｘ方向に延在している。レール部１３２とガイド１０９との係合により、スライドレバー１３はメインシャーシ１０上でＸ方向に移動可能となる。
【００５３】
図７に戻り、スライドレバー１３の＋Ｘ方向の端部には、ラックギア１３３が形成されている。ラックギア１３３は、その噛合部を前方（−Ｙ方向）に向けている。メインシャーシ１０（図１）の前端部には、回転軸９１が配設されている。回転軸９１には、トラバースシャーシ１２を揺動させるための駆動ギア（図示せず）が取り付けられており、この駆動ギアがスライドレバー１３のラックギア１３３に係合する。
【００５４】
回転軸９１（図１）は、図示しないモータによって回転駆動され、駆動ギアとラックギア１３３との噛み合いにより、スライドレバー１３がＸ方向に移動する。また、スライドレバー１３のラックギア１３３と反対側の端部には、スライドレバー１３を＋Ｘ方向に付勢する引張コイルバネの一端を係止するピン１３５が形成されている。
【００５５】
＜トラバースシャーシの揺動＞
スライドレバー１３が＋Ｘ方向に移動すると、カムフォロア１１８がカム溝１３１内を移動して第２の部分１３１ｂから第１の部分１３１ａに達する。これにより、昇降アーム１１は、揺動軸１１４，１１５を中心として、フロントアーム１１３側が上昇する方向に揺動する。そのため、昇降アーム１１に支持されたトラバースシャーシ１２も、昇降アーム１１の揺動軸１１４，１１５を中心として、前端部（ターンテーブル１４側の端部）が上昇する方向に揺動する。
【００５６】
トラバースシャーシ１２が上昇した位置にあるときには、トラバースシャーシ１２は水平位置にある。すなわち、ターンテーブル１４の回転軸は鉛直方向（Ｚ方向）を向いている。上述した図１は、トラバースシャーシ１２が水平位置にあるときの光ディスク装置を示している。
【００５７】
この状態からスライドレバー１３が−Ｘ方向に移動すると、カムフォロア１１８がカム溝１３１内を移動して第１の部分１３１ａから第２の部分１３１ｂに達する。これにより、昇降アーム１１は、揺動軸１１４，１１５を中心として、フロントアーム１１３側が下降する方向に揺動する。そのため、トラバースシャーシ１２も、昇降アーム１１の揺動軸１１４，１１５を中心として、前端部が下降する方向に揺動する。
【００５８】
トラバースシャーシ１２が下降した位置にあるときには、トラバースシャーシ１２は前端部が低くなるように傾斜している。図８は、トラバースシャーシ１２が傾斜位置にあるときの光ディスク装置を示す斜視図である。
【００５９】
光ディスク装置は、トラバースシャーシ１２が傾斜位置（図８）にあるときに、光ディスクの挿入または排出を行う。また、トラバースシャーシ１２が水平位置（図１）にあるときに、ターンテーブル１４と図示しないクランパとの間で光ディスクを挟持し、光ディスクを回転させて、情報の記録または再生を行う。
【００６０】
＜光ヘッド送り機構＞
図２および図３に戻り、ガイド主軸３に−Ｘ方向に隣接して、リードスクリュー５およびフィードモータ６が設けられている。リードスクリュー５は、軸方向がＹ方向を向くように配置され、フィードモータ６の出力軸に取り付けられている。リードスクリュー５の表面には、ねじ部（螺旋溝）５ａが形成されている。
【００６１】
フィードモータ６とリードスクリュー５は、コの字形状のブラケット６１（図３）に取り付けられている。ブラケット６１は、長尺の板状部材の両端を折り曲げて一対の支持部６２，６３を形成したものである。支持部６３には、フィードモータ６が取り付けられている。支持部６２には、リードスクリュー５の一端部が支持されている。ブラケット６１は、トラバースシャーシ１２の端部近傍に設けられた取付部１２ｖ（図３）の下面に、ねじ３８，３９により取り付けられている。
【００６２】
光ディスク装置の厚さ（Ｚ方向寸法）を３５ｍｍ程度まで薄型化するため、リードスクリュー５とフィードモータ６は、トラバースシャーシ１２のＹ方向における中央領域に配置されている。
【００６３】
図９（Ａ）は、トラバースシャーシ１２が傾斜位置にある状態を示す側面図である。図９（Ａ）に示すように、リードスクリュー５とフィードモータ６をトラバースシャーシ１２のＹ方向における中央領域に配置することで、破線Ｂで示すように、リードスクリュー５およびフィードモータ６の下方突出量を抑えることができる。
【００６４】
これに対し、リードスクリュー５とフィードモータ６をトラバースシャーシ１２の前端部（−Ｙ方向の端部）の近傍に配置すると、図９（Ｂ）に示すように、トラバースシャーシ１２が傾斜した際の、リードスクリュー５およびフィードモータ６の下方突出量が大きくなるため、光ディスク装置の薄型化を図る上で望ましくない。
【００６５】
図２および図３に戻り、光ヘッド１には、例えばプラスチックで形成された移動体２が、ねじ３１により固定されている。移動体２は、リードスクリュー５のねじ部５ａと噛み合い、リードスクリュー５の回転をＹ方向の直進移動に変換するものである。
【００６６】
図１０および図１１は、移動体２を上方（＋Ｚ側）および下方（−Ｚ側）から見た斜視図である。図１２は、移動体２の平面図（Ａ）および正面図（Ｂ）である。
【００６７】
図１０に示すように、移動体２は、光ヘッド１の上面に取り付けられる取付部２１と、リードスクリュー５に対向する壁部２２と、リードスクリュー５のねじ部５ａと噛み合う噛合部２５ａ，２５ｂ（図１１）を有する噛合体２５と、壁部２２と噛合体２５とを連結する一対のヒンジ部２３，２４と、第１の押圧部材としての押圧部材２６とを有している。ここでは、取付部２１、壁部２２、ヒンジ部２３，２４、噛合体２５および押圧部材２６は、プラスチックにより一体形成されている。但し、別部材を組み合わせて形成してもよい。
【００６８】
取付部２１は、平板状の部分であり、光ヘッド１の上面に突出形成されたボス１ｄ，１ｅ（図３）に係合する位置決め孔２１ａ，２１ｂと、ねじ３１を通す穴部２１ｃとを有している。壁部２２は、取付部２１の−Ｘ方向の端部から下方に延在している。また、壁部２１は、ＹＺ面に平行な板面を有している。
【００６９】
壁部２２の光ヘッド１側の面（＋Ｘ側の面）には、光ヘッド１に向けて突出する当接部２２ａが形成されている。当接部２２ａは、光ヘッド１の第２の軸受部１ｂ（すなわち光ディスクの外周側の軸受部）に当接している。
【００７０】
ヒンジ部２３，２４は、壁部２２のＹ方向両端から、−Ｘ方向に（すなわちリードスクリュー５に向けて）突出している。ヒンジ部２３，２４の壁部２２側の結合部分には、補強部２３ａ，２４ａが形成されている。補強部２３ａ，２４ａは、壁部２２に近づくにつれて幅（Ｚ方向寸法）が広がる形状を有している。
【００７１】
ヒンジ部２３，２４は、補強部２３ａ，２４ａから−Ｘ方向に延在し、さらに９０度の曲げ部Ｒを経て−Ｚ方向に延在し、噛合体２５につながっている。ヒンジ部２３，２４は、曲げ部Ｒの角度を変化させるように弾性変形する。これにより、ヒンジ部２３，２４の先端に取り付けられた噛合体２５が、上記の曲げ部Ｒを支点としてＸ方向に変位する。
【００７２】
噛合体２５は、リードスクリュー５の上方（＋Ｚ側）と両側を囲むように、略半円筒状に形成されている。噛合体２５は、リードスクリュー５のＸ方向両側に対向する側壁部２５ｄ，２５ｅを有している。
【００７３】
図１１に示すように、側壁部２５ｄ，２５ｅのうち、＋Ｘ側（すなわち光ヘッド１側）の側壁部２５ｄには、リードスクリュー５のねじ部５ａと噛み合う噛合部２５ａ，２５ｂが形成されている。噛合部２５ａ，２５ｂは、直線状に形成された凸部（凸条）であり、リードスクリュー５のねじ部５ａに対応する傾斜を有している。なお、ここでは２つの噛合部２５ａ，２５ｂを示すが、噛合部の数は２つに限らず、１つでもよく、あるいは３つ以上であってもよい。
【００７４】
壁部２２と噛合体２５との間には、第２の押圧部材としてのコイルスプリング７（圧縮ばね）が設けられている。コイルスプリング７は、その弾性力により、噛合体２５を−Ｘ方向に付勢する。
【００７５】
コイルスプリング７が噛合体２５を−Ｘ方向に付勢すると、噛合体２５はヒンジ部２３，２４を支点として−Ｘ方向に変位する。これにより、噛合体２５の噛合部２５ａ，２５ｂが、適正な圧力でリードスクリュー５のねじ部５ａと噛み合う。これにより、フィードモータ６の回転が光ヘッド１の直進移動に変換される。また、噛合部２５ａ，２５ｂが適正な圧力でリードスクリュー５のねじ部５ａと噛み合っているため、不感帯（フィードモータ６が回転しても光ヘッド１が直進しない領域）を生じることがない。すなわち、ガタを生じずに光ヘッド１が直進移動する。
【００７６】
移動体２の噛合部２５ａ，２５ｂは、光ヘッド１の可動範囲の全域でリードスクリュー５に噛み合う必要があるため、噛合部２５ａ，２５ｂの配置はリードスクリュー５の配置と光ヘッド１の可動範囲とから一義的に決定される。ここでは、噛合部２５ａ，２５ｂを有する噛合体２５は、図４に示すように、光ヘッド１の外周側の第２の軸受部１ｂの近傍に配置される。
【００７７】
図１０に戻り、移動体２は、取付部２１の位置決め孔２１ａ，２１ｂを光ヘッド１のボス１ｄ，１ｅ（図３）に嵌合させることによって位置決めされ、ねじ３１により光ヘッド１に固定される。ここで、部品の寸法誤差や組み立て位置の誤差により、リードスクリュー５のねじ部５ａと噛合部２５ａ，２５ｂとが、最適な噛み合い圧力が得られる相対位置からずれる可能性がある。そこで、本実施の形態では、ヒンジ部２３，２４を変形可能とし、コイルスプリング７で噛合部２５ａ，２５ｂをリードスクリュー５に押圧するようにして、上記の位置ずれを吸収している。
【００７８】
コイルスプリング７は、噛合部２５ａ，２５ｂとリードスクリュー５との噛み合い圧力の温度変化等による変化を抑制する作用も有する。なお、ヒンジ部２３，２４の変形に伴う弾性力を利用することでコイルスプリング７と同様の作用が得られる場合には、コイルスプリング７を省略してもよい。
【００７９】
移動体２において、壁部２２の−Ｙ方向端部には、第１の押圧部材としての押圧部材（弾性部材）２６が設けられている。押圧部材２６は、移動体２と一体に形成したものであってもよいし、移動体２に別体として取り付けたものでもよい。押圧部材２６は、Ｙ方向に長さを有し、Ｚ方向に幅を有し、Ｘ方向に厚さｔを有している。押圧部材２６は、壁部２２から−Ｙ方向に延在しており、先端に近づくにつれて厚さｔが減少する形状を有している。
【００８０】
押圧部材２６の−Ｙ方向の先端には、＋Ｘ方向（ガイド主軸３側）に突出する当接部２６ａが形成されている。移動体２を光ヘッド１に取り付けると、当接部２６ａがガイド主軸３に当接し、これにより押圧部材２６が−Ｘ方向に弾性変形する。
【００８１】
また、押圧部材２６の先端面には、ストッパ部２６ｂが突出形成されている。このストッパ部２６ｂは、移動体２が光ヘッド１と共に−Ｙ方向に移動した際、−Ｙ方向の移動限界位置に達したときに保持部１２ｈに当接するものである。
【００８２】
図１３は、移動体２の押圧部材２６、ガイド主軸３および軸受部１ａ，１ｂの間に作用する力の関係を示す模式図である。
【００８３】
移動体２を光ヘッド１に取り付けると、コイルスプリング７の付勢力Ｃ１によって、移動体２の当接部２２ａ（図１０）が、光ヘッド１の第２の軸受部１ｂを＋Ｘ方向に付勢する。そのため、光ヘッド１の第２の軸受部１ｂは、ガイド主軸３に＋Ｘ方向に押し当てられる。
【００８４】
また、光ヘッド１の第１の軸受部１ａは、押圧部材２６がガイド主軸３を＋Ｘ方向に付勢する力Ｆ１の反力Ｒ１により、ガイド主軸３に−Ｘ方向に押し当てられる。
【００８５】
すなわち、光ヘッド１の軸受部１ａ，１ｂは、いずれも、ガイド主軸３に対して、光ディスクの面（ＸＹ面）に平行で且つガイド主軸３に直交する方向（＋Ｘ方向、−Ｘ方向）に押し当てられる。このように両方の軸受部１ａ，１ｂをガイド主軸３に押し当てることで、各軸受部とガイド主軸３との繰り返し衝突を抑制し、高周波振動の発生を抑制することができる。
【００８６】
図１３において、第２の軸受部１ｂとガイド主軸３との当接位置から、第１の軸受部１ａとガイド主軸３との当接位置までの距離をＬ２とする。第２の軸受部１ｂとガイド主軸３との当接位置から、押圧部材２６の当接部２６ａとガイド主軸３との当接位置までの距離をＬ１とする。押圧部材２６の弾性変形による付勢力（弾性力）Ｆ１と、これに対する反力Ｒ１との間には、Ｒ１＝Ｆ１×Ｌ１／Ｌ２の関係が成り立つ。また、第２の軸受部１ｂをガイド主軸３に押圧する力Ｒ２は、Ｒ２＝Ｒ１−Ｆ１+Ｃ１で表される。
【００８７】
ここでは、コイルスプリング７の付勢力Ｃ１を０．５Ｎ程度に設定している。実験によれば、付勢力Ｃ１が０．５Ｎの場合に、１Ｎ以上の付勢力Ｆ１が得られれば、光ヘッド１の高周波振動を抑制することができる。
【００８８】
また、押圧部材２６は、根本部分から先端にかけて厚さｔが減少するように形成されているため、弾性変形時の応力を広範囲に分散し、応力の集中を避けることができる。すなわち、押圧部材２６の厚さｔを一定とした場合と比較して、最大応力を大幅に低減することができる。
【００８９】
プラスチックは、弾性変形した状態で長期間保管すると、変形時の最大応力が高いほど経年的に応力緩和が発生し易い。そのため、押圧部材２６を、根本部分から先端にかけて板厚ｔが減少する形状とすることで、光ヘッド１の第１の軸受部１ａをガイド主軸３に押し当てる力（図１３に示した反力Ｒ１）の経年的な減少を抑制している。
【００９０】
これら光ヘッド１、移動体２、ガイド主軸３、ガイド副軸４、リードスクリュー５、フィードモータ６およびトラバースシャーシ１２により、光ヘッド送り装置５０が構成されている。
【００９１】
＜基本動作＞
以上のように構成された光ヘッド送り装置５０の基本動作は、以下の通りである。
光ディスクに対する情報の記録または再生は、トラバースシャーシ５０が水平位置（図１）にある状態、すなわちターンテーブル１４とクランパとで光ディスクが保持された状態で行う。
【００９２】
光ヘッド送り装置５０のフィードモータ６の回転駆動により、リードスクリュー５がＹ方向の回転軸を中心として回転する。リードスクリュー５のねじ部５ａと移動体２の噛合部２５ａ，２５ｂとの噛み合いにより、光ヘッド１がガイド主軸３とガイド副軸４に案内されてＹ方向に移動する。光ヘッド１の移動方向は、フィードモータ６の回転方向によって決定される。これにより、光ヘッド１は、光ディスクの外周方向（＋Ｙ方向）または内周方向（−Ｙ方向）に移動し、対物レンズ５１（５２）により形成されるビームスポットを光ディスクの所望のトラックに移動させる。
【００９３】
さらに、光ヘッド１に搭載された対物レンズアクチュエータによって対物レンズ５１（５２）をＹ方向およびＺ方向に移動させ、光ディスクの偏心や面振れにビームスポットを追従させる。なお、対物レンズアクチュエータの駆動制御は、トラッキングエラー信号およびフォーカスエラー信号に基づいて行うが、これについては詳細説明を省略する。その後、光ディスクの所定の領域に情報の記録または再生を行う。
【００９４】
＜振動抑制作用＞
次に、アンバランスを有する光ディスク（重心と回転中心とが一致していない光ディスク）を用いた場合の振動抑制作用について説明する。
【００９５】
上述したようにトラバースシャーシ１２はダンパ４１，４２，４３，４４によって弾性支持されているために、アンバランスを有する光ディスクを回転させると、光ヘッド送り装置５０の全体が振動する。この振動は、ターンテーブル１４の回転数が高いほど大きい。
【００９６】
光ディスク装置の薄型化のため、ダンパ４１，４２，４３，４４がトラバースシャーシ１２を支持する高さ（Ｚ方向位置）は、できるだけ光ディスクの中心の高さに近くなるように設計されている。そのため、アンバランスを有する光ディスクを回転させると、光ヘッド送り装置５０の全体が、光ディスクの面と平行なＸＹ面内で、光ディスクの回転に同期して２次元的に振動する。
【００９７】
本実施の形態では、コイルスプリング７の付勢力によって光ヘッド１の第２の軸受部１ｂをガイド主軸３に対して＋Ｘ方向に押し当てると共に、押圧部材２６の弾性力によって第１の軸受部１ａをガイド主軸３に対して−Ｘ方向に押し当てている。そのため、光ヘッド１の軸受部１ａ，１ｂとガイド主軸３との繰り返し衝突を抑制し、高周波振動の発生を抑制することができる。
【００９８】
この点について、図面を参照してさらに説明する。
図１４は、本実施の形態の光ヘッド１、ガイド主軸３およびガイド副軸４を示す平面図である。図１５および図１６は、光ヘッド１の軸受部１ａ，１ｂとガイド主軸３との当接状態を模式的に示す断面図である。
【００９９】
図１４において、移動体２（図１０）が押圧部材２６を有していない場合には、光ヘッド１の軸受部１ａ，１ｂのうち、第２の軸受部１ｂ（光ディスクの外周側の軸受部）のみが、コイルスプリング７の付勢力でガイド主軸３に押圧されている。そのため、光ヘッド送り装置５０がＸＹ面内で振動すると、第２の軸受部１ｂとガイド主軸３との当接部（図１４に示すＤ点）を支点として、光ヘッド１がＸＹ面内で揺動する。
【０１００】
このような揺動が生じると、光ヘッド１の第１の軸受部１ａ（光ディスクの内周側の軸受部）が矢印Ｒで示す方向に揺動する。そのため、第１の軸受部１ａとガイド主軸３とが、図１５および図１６に示すように当接を繰り返す。すなわち、第１の軸受部１ａとガイド主軸３との間で、繰り返し衝突が発生する。
【０１０１】
その結果、光ヘッド１には、光ヘッド送り装置５０の全体の振動に加えて、第１の軸受部１ａとガイド主軸３との繰り返し衝突による高周波成分の振動が重畳される。この高周波振動が原因で、光ヘッド１の対物レンズが光ディスクの偏心や面振れに追従できなくなることがある。
【０１０２】
Ｙ方向において軸受部１ａ，１ｂの間に噛合部２５ａ，２５ｂとコイルスプリング７を配置すれば、コイルスプリング７の付勢力によって両方の軸受部１ａ，１ｂをガイド主軸３に押し当てて衝突を抑制することができる。しかしながら、その場合、リードスクリュー５とフィードモータ６を光ディスクの内周寄りに配置しなければならず、図９を参照して説明した光ディスク装置の薄型化の妨げとなる。
【０１０３】
これに対し、本実施の形態の光ヘッド送り装置５０では、第２の軸受部１ｂ（光ディスクの外周側の軸受部）をガイド主軸３に押し当てるだけでなく、第１の軸受部１ａ（光ディスクの内周側の軸受部）を、押圧部材２６の弾性力によりガイド主軸３に押し当てている。
【０１０４】
そのため、第１の軸受部１ａとガイド主軸３との当接状態は、常に、図１６に示す当接状態（ガイド主軸３が第２の軸受部１ｂの−Ｘ側の面に当接し、第１の軸受部１ａの＋Ｘ側の面に当接した状態）に保たれる。従って、第１の軸受部１ａとガイド主軸３との繰り返し衝突の発生を抑制することができ、繰り返し衝突に起因する高周波振動の発生を抑制することができる。そのため、光ヘッド１の対物レンズ５１（５２）を、光ディスクの偏心や面振れに正確に追従させることができる。
【０１０５】
図１７および図１８は、０．５ｇ−ｃｍのアンバランスを有する光ディスクを８４００ｒｐｍの回転速度で回転させたときの振動の測定結果を示す。振動は、光ヘッド１の底面に加速度ピックアップを貼り付けて測定した。
【０１０６】
図１７は、移動体２が押圧部材２６を有さない場合、すなわち付勢力Ｆ１（図１３）が０Ｎの場合の振動波形を示す。図１７（Ａ）、（Ｂ）および（Ｃ）は、それぞれＸ方向、Ｙ方向およびＺ方向の振動加速度の時間軸波形を示す。横軸は時間を示し、１目盛は５ｍｓである。縦軸は加速度を示し、１目盛は２．５Ｇである。
【０１０７】
図１８は、移動体２が押圧部材２６を有し、付勢力Ｆ１が１Ｎである場合の振動波形を示す。図１８（Ａ）、（Ｂ）および（Ｃ）は、それぞれＸ方向、Ｙ方向およびＺ方向の振動加速度の時間軸波形を示す。横軸は時間を示し、１目盛は５ｍｓである。縦軸は加速度を示し、１目盛は２．５Ｇである。
【０１０８】
図１７（Ａ）〜（Ｃ）では、振動波形に高調波成分が認められる。これに対し、図１８（Ａ）〜（Ｃ）では、振動波形に高調波成分が認められない。これは、移動体２に押圧部材２６を設け、第１の軸受部１ａをガイド主軸３に押し当てたことにより、繰り返し衝突を防止し、光ヘッド１の高周波振動を抑制できたことによるものである。
【０１０９】
なお、上述したように、弾性部材２５が、先端に近づくにつれて厚さｔが減少する形状を有しているため、付勢力Ｆ１の継時的な減少を緩和することができる。但し、１０年程度の時間経過では、付勢力Ｆ１が５０％近く半減する場合がある。また、部品精度や組立て誤差により、付勢力Ｆ１が初期的に±３０％程度変化する可能性がある。これらを考慮し、付勢力Ｆ１は、設計値として３Ｎに設定されている。
【０１１０】
近年、光ヘッド１の筐体１ｆを、金属より安価なプラスチックで形成する場合が多い。一方、プラスチックは金属よりも線膨張係数が大きいため、光ヘッド１の筐体１ｆをプラスチックで形成した場合、光ヘッド１の軸受部１ａ，１ｂとガイド主軸３とのクリアランスを、金属の場合より大きくする必要がある。クリアランスが大きいほど、アンバランスを有する光ディスクを高速で回転させた際の高周波振動も大きくなり、光ヘッド１の対物レンズが光ディスクの偏心や面振れに追従しにくくなる。しかしながら、本実施の形態では、光ヘッド１の軸受部１ａ，１ｂとガイド主軸３とのクリアランスを大きくした場合でも、第１の軸受部１ａとガイド主軸３との繰り返し衝突を抑制できるため、光ヘッド１の高周波振動の発生を抑制することができる。
【０１１１】
＜効果＞
以上説明したように、本実施の形態における光ヘッド送り装置は、押圧部材２６およびコイルスプリング７の付勢力により、光ヘッド１の軸受部を１ａ，１ｂをガイド主軸３に対してＸ方向（光ディスクの面に平行で且つガイド主軸３の軸方向に直交する方向）に押し当てている。そのため、アンバランスを有する光ディスクを高速で回転させた場合であっても、軸受部１ａ，１ｂとガイド主軸３との繰り返し衝突を抑制することができる。従て、光ヘッド１の高周波振動を抑制し、安定した状態で記録または再生を行うことが可能になる。
【０１１２】
また、光ヘッド１の軸受部１ａ，１ｂを、標準化された位置から変更する必要がないため、光ヘッド１の互換性を確保することができる。さらに、リードスクリュー５およびフィードモータ６を光ディスクの外周側（図４等）に配置したまま、高周波振動の抑制効果を達成できるため、図９を参照して説明したように、光ディスク装置の薄型化に資することができる。
【０１１３】
また、本実施の形態では、移動体２に押圧部材２６を設け、その押圧部材２６がガイド主軸３と平行に延在し、先端（当接部２６ａ）でガイド主軸３を付勢するよう構成されている。そのため、押圧部材２６の弾性力を利用して、第１の軸受部１ａをガイド主軸３に押し当てることができる。
【０１１４】
さらに、押圧部材２６が、先端に近づくにつれて厚さｔが減少する形状を有しているため、押圧部材２６の弾性力の継時的な減少傾向を緩和することができる。
【０１１５】
また、本実施の形態では、コイルスプリング７が、噛合部２５ａ，２５ｂをリードスクリュー５に押し当てると共に、第２の軸受部１ｂをガイド主軸３に押し当てるよう構成されている。そのため、共通のコイルスプリング７の付勢力を２つの用途に利用することができる。
【０１１６】
さらに、本実施の形態では、移動体２が、噛合部２５ａ，２５ｂおよび押圧部材２６を有しており、コイルスプリング７も移動体２に取り付けられる。そのため、図２に示すように噛合部２５ａ，２５ｂおよび軸受部１ａ，１ｂが互いに近傍に（密集して）配置された構成においても、噛合部２５ａ，２５ｂをリードスクリュー５に押し当て、軸受部１ａ，１ｂをガイド主軸３に押し当てる機能を確実に発揮することができる。
【０１１７】
また、本実施の形態では、噛合体２５（噛合部２５ａ，２５ｂ）がヒンジ部２３，２４によって変位可能に支持されているため、コイルスプリング７の付勢力を利用して、噛合部２５ａ，２５ｂとリードスクリュー５とを適正な押圧状態に保つことができる。
【０１１８】
なお、上記の説明では、光ヘッド１の軸受部１ａ，１ｂをガイド主軸３に対して互いに異なる方向（＋Ｘ方向、−Ｘ方向）に押し当てたが、互いに同一方向に押し当てた場合も、光ヘッド１の高周波振動を抑制する効果を達成することができる。
【０１１９】
また、本実施の形態では、低コスト化のため、押圧部材２６を移動体２に一体形成した例を説明したが、押圧部材２６を別体として移動体２に取り付けても良い。
【０１２０】
本発明における光ヘッド送り装置および光ディスク装置は、例えば、ＢＤレコーダ、ＢＤプレーヤ、ＤＶＤレコーダ、ＤＶＤプレーヤ等に用いられる。
【符号の説明】
【０１２１】
１  光ヘッド、  ２  移動体、  ２１  取付部、  ２２  壁部、  ２３，２４  ヒンジ部、  ２５  噛合体、  ２５ａ，２５ｂ  噛合部、  ２６  押圧部材（第１の押圧部材）、  ２６ａ  当接部、  ２６ｂ  ストッパ部、  ３  ガイド主軸、  ４  ガイド副軸、  ５  リードスクリュー、  ５ａ  ねじ部（螺旋溝）、  ６  フィードモータ、  ７  コイルスプリング（第２の押圧部材）、  ８ａ，８ｂ，９ａ，９ｂ  ねじりコイルばね、  １０  メインシャーシ、  １１  昇降アーム、  １２  トラバースシャーシ、  １２ａ，１２ｂ，１２ｃ，１２ｄ  穴部、  １３  スライドレバー、  １４  ターンテーブル、  １５  スピンドルモータ、  ４１，４２，４３，４４  ダンパ（振動減衰部材）、  ５１，５２  対物レンズ。
【図１】
2015084265.tif 000003
【図２】
2015084265.tif 000004
【図３】
2015084265.tif 000005
【図４】
2015084265.tif 000006
【図５】
2015084265.tif 000007
【図６】
2015084265.tif 000008
【図７】
2015084265.tif 000009
【図８】
2015084265.tif 000010
【図９】
2015084265.tif 000011
【図１０】
2015084265.tif 000012
【図１１】
2015084265.tif 000013
【図１２】
2015084265.tif 000014
【図１３】
2015084265.tif 000015
【図１４】
2015084265.tif 000016
【図１５】
2015084265.tif 000017
【図１６】
2015084265.tif 000018
【図１７】
2015084265.tif 000019
【図１８】
2015084265.tif 000020